(57)【要約】【課題】監視側と被監視側との間が通信不可能な場合でも被監視側の死活監視が可能な管理システムを提供すること。【解決手段】検体に対する分析を行う自動分析装置２０を監視し、ネットワークＮに接続された管理サーバ３０に対して自動分析装置２０から随時出力される状態情報Ｄ１を、ネットワークＮを介して送信する監視端末装置１０を有する管理システム１であって、自動分析装置２０から受信した状態情報Ｄ１を管理サーバ３０に送信するとともに、所定時間内に管理サーバ３０に対する状態情報Ｄ１が未送信である場合に、自動分析装置の稼働情報を示す死活監視情報Ｄ２を送信する送信制御部１６が、状態情報Ｄ１または死活監視情報Ｄ２を管理サーバ３０へ送信することによって、管理サーバ３０が、自動分析装置２０の死活監視を行なうことができる。【選択図】        図１
2010190689.tif 000002
【特許請求の範囲】
【請求項１】
検体に対する分析を行う自動分析装置を監視し、ネットワークに接続された管理装置に対して前記自動分析装置から随時出力される状態情報を、該ネットワークを介して送信する監視端末装置であって、
前記自動分析装置から受信した前記状態情報を前記管理装置に送信するとともに、所定時間内に前記管理装置に対する前記状態情報が未送信である場合に、前記自動分析装置の稼働情報を示す死活監視情報を送信する送信制御手段を備え、
前記送信制御手段は、前記状態情報または前記死活監視情報の送信に対する前記管理装置からの応答信号がない場合に、該状態情報または該死活監視情報を記憶し、前記管理装置から前記応答信号を受信した場合に、記憶した前記状態情報または前記死活監視情報を前記管理装置に送信することを特徴とする監視端末装置。
【請求項２】
前記送信制御手段は、前記状態情報を受信した日時または前記死活監視情報を作成した日時を該状態情報または該死活監視情報に付加して記憶することを特徴とする請求項１に記載の監視端末装置。
【請求項３】
前記送信制御手段は、前回管理装置に送信した状態情報と同種別の状態情報を受信し、該状態情報の値が前回管理装置に送信した状態情報の値と比して所定値以上変化している場合に、前記管理装置に当該状態情報を送信することを特徴とする請求項１または２に記載の監視端末装置。
【請求項４】
検体に対する分析を行う自動分析装置を監視し、ネットワークに接続された管理装置に対して前記自動分析装置から随時出力される状態情報を、該ネットワークを介して送信する監視端末装置を有する管理システムであって、
前記監視端末装置は、
前記自動分析装置から受信した前記状態情報を前記管理装置に送信するとともに、所定時間内に前記管理装置に対する前記状態情報が未送信である場合に、前記自動分析装置の稼働情報を示す死活監視情報を送信する送信制御手段を備え、
前記送信制御手段は、前記状態情報または前記死活監視情報の送信に対する前記管理装置からの応答信号がない場合に、該状態情報または該死活監視情報を記憶し、前記管理装置から前記応答信号を受信した場合に、記憶した前記状態情報または前記死活監視情報を前記管理装置に送信することを特徴とする管理システム。
【請求項５】
前記送信制御手段は、前記状態情報を受信した日時または前記死活監視情報作成した日時を該状態情報または該死活監視情報に付加して記憶することを特徴とする請求項４に記載の管理システム。
【請求項６】
前記管理装置は、前記監視端末装置から受信した前記状態情報または前記死活監視情報を、表またはグラフ化して、前記自動分析装置を保守・管理する管理者側の端末装置に送信することを特徴とする請求項４または５に記載の管理システム。
【発明の詳細な説明】
【技術分野】
【０００１】
本発明は、検体に対する分析を行う自動分析装置を監視し、ネットワークに接続された管理装置に対して前記自動分析装置から随時出力される状態情報を、該ネットワークを介して送信する監視端末装置を有する管理システムに関するものである。
【背景技術】
【０００２】
従来、自動分析装置の信頼性を高めるため、自動分析装置を監視する監視端末装置と管理サーバとがネットワークなどの通信接続手段を介して接続され、接続した監視端末装置と管理サーバとの間で通信を行うことによって、自動分析装置の保守・管理する管理システムが提案されている。この管理システムでは、ネットワークを介して遠隔制御が可能であり、自動分析装置から状態情報を随時受信することによって、自動分析装置の状態を把握することができる。特に、自動分析装置において障害等が発生した場合に電子メール等で通知されるため、迅速に対応できる。
【０００３】
ところで、上述したような遠隔監視において、自動分析装置の状態情報を受信するとともに、自動分析装置が正常に作動しているか否かを把握するための死活監視を行なうことが可能であり、ハートビート監視を行なう監視方法が開示されている（たとえば、特許文献１参照）。また、子局が親局に擬似データを送信し、親局が擬似データを受信したことを監視局が確認することで、親局の死活監視を行なう方法が開示されている（たとえば、特許文献２参照）。
【０００４】
【特許文献１】特表平１１−５１４７７０号公報
【特許文献２】特許第２５２２４６１号明細書
【発明の開示】
【発明が解決しようとする課題】
【０００５】
しかしながら、特許文献１，２に示す死活監視方法は、情報送信側と情報受信側との間が通信可能な場合のみで有効であり、情報送信側と情報受信側との間が通信不可能な場合、情報受信側は、情報送信側における通信不可能であった間の死活状態が把握できないという問題があった。
【０００６】
本発明は、上記に鑑みてなされたものであって、監視側と被監視側との間が通信不可能な場合でも被監視側の死活監視が可能な管理システムを提供することを目的とする。
【課題を解決するための手段】
【０００７】
上述した課題を解決し、目的を達成するために、本発明は、検体に対する分析を行う自動分析装置を監視し、ネットワークに接続された管理装置に対して前記自動分析装置から随時出力される状態情報を、該ネットワークを介して送信する監視端末装置であって、前記自動分析装置から受信した前記状態情報を前記管理装置に送信するとともに、所定時間内に前記管理装置に対する前記状態情報が未送信である場合に、前記自動分析装置の稼働情報を示す死活監視情報を送信する送信制御手段を備え、前記送信制御手段は、前記状態情報または前記死活監視情報の送信に対する前記管理装置からの応答信号がない場合に、該状態情報または該死活監視情報を記憶し、前記管理装置から前記応答信号を受信した場合に、記憶した前記状態情報または前記死活監視情報を前記管理装置に送信することを特徴とする。
【０００８】
また、本発明にかかる監視端末装置は、上記の発明において、前記送信制御手段は、前記状態情報を受信した日時または前記死活監視情報を作成した日時を該状態情報または該死活監視情報に付加して記憶することを特徴とする。
【０００９】
また、本発明にかかる監視端末装置は、上記の発明において、前記送信制御手段は、前回管理装置に送信した状態情報と同種別の状態情報を受信し、該状態情報の値が前回管理装置に送信した状態情報の値と比して所定値以上変化している場合に、前記管理装置に当該状態情報を送信することを特徴とする。
【００１０】
また、本発明にかかる管理システムは、上記の発明において、検体に対する分析を行う自動分析装置を監視し、ネットワークに接続された管理装置に対して前記自動分析装置から随時出力される状態情報を、該ネットワークを介して送信する監視端末装置を有する管理システムであって、前記監視端末装置は、前記自動分析装置から受信した前記状態情報を前記管理装置に送信するとともに、所定時間内に前記管理装置に対する前記状態情報が未送信である場合に、前記自動分析装置の稼働情報を示す死活監視情報を送信する送信制御手段を備え、前記送信制御手段は、前記状態情報または前記死活監視情報の送信に対する前記管理装置からの応答信号がない場合に、該状態情報または該死活監視情報を記憶し、前記管理装置から前記応答信号を受信した場合に、記憶した前記状態情報または前記死活監視情報を前記管理装置に送信することを特徴とする。
【００１１】
また、本発明にかかる管理システムは、上記の発明において、前記送信制御手段は、前記状態情報を受信した日時または前記死活監視情報作成した日時を該状態情報または該死活監視情報に付加して記憶することを特徴とする。
【００１２】
また、本発明にかかる管理システムは、上記の発明において、前記管理装置は、前記監視端末装置から受信した前記状態情報または前記死活監視情報を、表またはグラフ化して、前記自動分析装置を保守・管理する管理者側の端末装置に送信することを特徴とする。
【発明の効果】
【００１３】
本発明によれば、監視側と被監視側との間が通信不可能な場合に被監視側で死活監視情報を記憶し、監視側と被監視側との間が通信可能となった場合に記憶された死活監視情報を監視側に送信するようにしたので、監視側と被監視側との間が通信不可能な場合でも被監視側の死活監視ができるという効果を奏する。
【発明を実施するための最良の形態】
【００１４】
以下、図面を参照して、この発明の実施の形態である自動分析装置の管理システムについて説明する。なお、この実施の形態によりこの発明が限定されるものではない。また、図面の記載において、同一部分には同一の符号を付している。
【００１５】
まず、実施の形態にかかる管理システムについて説明する。図１は、本発明の実施の形態にかかる自動分析装置の管理システムの構成を示す模式図である。この管理システム１は、検体を自動的に分析する自動分析装置２０と接続され、自動分析装置２０の状態情報Ｄ１または死活監視情報Ｄ２を受信し、管理サーバ３０に送信するとともに、自動分析装置２０の監視を行なう監視端末装置１０と、監視端末装置１０から送信される各自動分析装置２０の状態情報Ｄ１と死活監視情報Ｄ２とで構成される監視情報を管理する管理装置としての管理サーバ３０と、管理サーバ３０へのアクセスが可能な、自動分析装置２０の保守・管理を行なう管理端末装置４０と、がインターネット等のネットワークＮを介して通信可能に接続される。
【００１６】
監視端末装置１０は、監視端末装置１０の各構成部位の処理動作を制御する制御部１１と、種々の情報を入力するためのキーボード等を用いて構成され、検体の分析に必要な諸情報や分析動作の指示情報等を外部から取得する入力部１２と、ディスプレイ等を用いて構成され、自動分析装置２０の情報を表示する出力部１３と、ネットワークＮを介して所定の形式にしたがった情報の送受信を行なうインターフェースとしての機能を有する送受信部１４と、自動分析装置２０の状態情報Ｄ１と死活監視情報Ｄ２とで構成される監視情報を記憶する記憶部１５と、を有する。また、制御部１１は、管理サーバ３０に送信する自動分析装置２０の状態情報Ｄ１または死活監視情報Ｄ２の送信を制御する送信制御部１６を有する。なお、死活監視情報Ｄ２は、自動分析装置２０から取得される情報であって、自動分析装置２０の稼動情報を示しており、取得日時等が含まれる。また、自動分析装置２０から死活監視情報Ｄ２が取得不可能であった場合は、取得日時とともに自動分析装置２０が非稼動である旨の情報を付加した死活監視情報Ｄ２として記憶する。
【００１７】
自動分析装置２０は、検体および検査項目に対応する試薬を反応容器に分注し、反応容器内で生じる反応を光学的に測定する測定機構を有し、測定機構の各種情報を自動分析装置２０の状態情報Ｄ１として、監視端末装置１０に送信する。また、監視端末装置１０から死活監視情報Ｄ２を要求された場合、死活監視情報Ｄ２を送信する。なお、自動分析装置２０の状態情報Ｄ１には、警報情報、反応テーブルとして用いられる恒温槽および試薬の保存に用いられる試薬庫の温度情報、検体または試薬の分注回数、または測光回数等の情報が含まれる。
【００１８】
管理サーバ３０は、管理サーバ３０の各構成部位の処理動作を制御する制御部３１と、諸情報を外部から取得する入力部３２と、ディスプレイ等を用いて構成され、管理サーバ３０が処理した各自動分析装置２０の状態情報を表示する出力部３３と、監視端末装置１０とネットワークＮを介して所定の形式にしたがった情報の送受信を行なうインターフェースとしての機能を有する送受信部３４と、各自動分析装置２０から送信された各自動分析装置２０の情報を管理情報として記憶する記憶部３５と、を有する。
【００１９】
管理端末装置４０は、管理端末装置４０の各構成部位の処理動作を制御する制御部４１と、種々の情報を入力するためのキーボード等を用いて構成され、保守・管理に関する情報を外部から取得する入力部４２と、ディスプレイ等を用いて構成され、管理サーバ３０の記憶部３５から読み出した各自動分析装置２０の情報を表示する出力部４３と、ネットワークＮを介して所定の形式にしたがった情報の送受信を行なうインターフェースとしての機能を有する送受信部４４と、管理サーバ３０の記憶部３５から読み出した各自動分析装置２０の状態情報を記憶する記憶部４５と、を有する。
【００２０】
この管理システム１では、監視端末装置１０が自動分析装置２０の状態情報または死活監視情報を受信し、受信した状態情報または死活監視情報を管理サーバ３０に送信することによって、管理サーバ３０が自動分析装置２０の死活監視を行なう。また、管理サーバ３０は、監視端末装置１０から受信した情報を管理端末装置４０に出力することによって装置担当者が自動分析装置２０の遠隔監視を行なうことができる。なお、監視端末装置１０は、ネットワークＮを介して管理サーバ３０に接続するものを例示したが、これに限らず、例えば、管理サーバ３０にローカル接続してもよい。また、監視端末装置１０は、複数の自動分析装置と接続してもよく、管理サーバ３０が複数の監視端末装置１０と接続してもよい。
【００２１】
ここで、監視端末装置１０が、管理サーバ３０に送信する監視情報処理について、図２を参照して説明する。図２は、本発明の実施の形態にかかる監視情報処理を示すフローチャートである。まず、図１に示す送信制御部１６は、送受信部１４に自動分析装置２０からの監視情報の受信を確認させ、監視情報を受信している場合、管理サーバ３０に送信すべき監視情報か否かを判断する（ステップＳ１０２）。送信制御部１６は、送受信部１４が自動分析装置２０から監視情報を受信していない、または管理サーバ３０に送信する必要のない監視情報であると判断すると（ステップＳ１０２：Ｎｏ）、ステップＳ１０４に移行し、前回管理サーバ３０に監視情報を送信した送信日時から所定時間経過したか否かを判断する。送信制御部１６は、ステップＳ１０４において前回の送信日時から所定時間経過していると判断した場合（ステップＳ１０４：Ｙｅｓ）、前回自動分析装置２０から死活監視情報Ｄ２を取得した日時から所定時間経過したか否かを、記憶部１５を参照して判断し、所定時間経過していると判断した場合（ステップＳ１０６：Ｙｅｓ）、自動分析装置２０から死活監視情報Ｄ２を取得する（ステップＳ１０８）。送信制御部１６は、自動分析装置２０から死活監視情報Ｄ２を取得後、ステップＳ１０２に移行する。なお、前回管理サーバ３０に監視情報を送信してから所定時間経過していない場合（ステップＳ１０４：Ｎｏ）または前回の死活監視情報取得日時から所定時間経過していない場合（ステップＳ１０６：Ｎｏ）、送信制御部１６は、ステップＳ１０２に移行する。
【００２２】
送信制御部１６は、ステップＳ１０２において、自動分析装置２０から監視情報を受信し、管理サーバ３０に送信すべき監視情報であると判断すると（ステップＳ１０２：Ｙｅｓ）、前回管理サーバ３０への情報送信時に応答信号を受信したか否かを判断する（ステップＳ１１０）。送信制御部１６は、記憶部１５を参照し、前回の管理サーバ３０への送信時に応答信号を受信したと判断した場合（ステップＳ１１０：Ｙｅｓ）、管理サーバ３０に監視情報を送信する（ステップＳ１１２）。なお、装置立ち上げ等で管理サーバ３０への送信が初回である場合は、応答信号を受信したと判断し、管理サーバ３０に監視情報の送信を行なう。管理サーバ３０に監視情報を送信後、送信制御部１６は、送受信部１４に管理サーバ３０から応答信号を受信したか否かを確認するよう指示する（ステップＳ１１６）。送信制御部１６は、送受信部１４から応答信号を受信した旨の情報を受けると（ステップＳ１１６：Ｙｅｓ）、記憶部１５に送信した監視情報の送信日時を記憶するよう指示する（ステップＳ１１８）。その後、送信制御部１６は、送受信部１４から新たな状態情報Ｄ１を受信した旨の情報を受けると（ステップＳ１２２：Ｙｅｓ）、ステップＳ１０２に移行し、新たな状態情報Ｄ１がない場合（ステップＳ１２２：Ｎｏ）、作業を終了する。
【００２３】
なお、ステップＳ１１６において、管理サーバ３０から応答信号を受信しなかった場合（ステップＳ１１６：Ｎｏ）、送信制御部１６は、ステップＳ１２０に移行し、送信した監視情報を、各監視情報を受信した日時を付加して記憶部１５に記憶させる。また、ステップＳ１１０において、前回管理サーバ３０への情報送信時に応答信号を受信していない場合（ステップＳ１１０：Ｎｏ）、送信制御部１６は、ステップＳ１１４に移行して今回受信した監視情報とともに、前回以前に記憶部１５に記憶された蓄積情報を管理サーバ３０に送信する。ここで、ステップＳ１１４における情報の送信は、今回受信した監視情報のみ送信し、ステップＳ１１６の応答信号受信後に、蓄積されている監視情報を送信してもよい。また、ステップＳ１２０における監視情報の記憶処理は、ステップＳ１１４を経由している場合、記憶処理が未処理の監視情報のみを記憶するようにしてもよく、記憶済監視情報の記憶処理情報を更新してもよい。
【００２４】
上述した処理を繰り返すことで、監視端末装置１０から管理サーバ３０へ送信された自動分析装置２０の状態情報Ｄ１または死活監視情報Ｄ２をもとに、管理サーバ３０は、通信不可能であった間においても自動分析装置２０の死活監視を行なうことが可能となる。
【００２５】
なお、監視端末装置１０が自動分析装置２０から受信する状態情報Ｄ１において、温度情報等の数値を有する状態情報の場合、送信制御部１６は、今回受信した数値が、前回管理サーバ３０に送信した数値と比して所定値以上の差分である場合にのみ管理サーバ３０に送信する。図２に示すフローチャートのステップＳ１０２において、送信制御部１６は、送受信部１４から自動分析装置２０の状態情報Ｄ１を受信した旨の情報を受けると、受信した状態情報Ｄ１が数値を有する場合、記憶部１５を参照して、受信した状態情報に対応する前回送信した状態情報と、今回受信した状態情報との差分を算出し、得られた差分が所定値を超えている場合、管理サーバ３０に送信すべき状態情報であると判断する。上述した送信可否判断を行なうことによって、管理サーバ３０に送信する情報量を削減し、管理サーバ３０にかかる負荷を軽減することが可能となる。なお、数値が所定値以上変化した状態情報の直前に受信した状態情報の受信日時を、数値が所定値以上変化した状態情報とともに管理サーバ３０に送信して、管理サーバ３０が、数値が所定値以上変化しなかった日時を把握できるようにしてもよい。ここで、警報情報等、数値を有しない状態情報については、各状態情報毎に管理サーバ３０に送信すべき状態情報か否かを予め設定して、送信を制御することが好ましい。
【００２６】
また、管理サーバ３０に送信された監視情報の確認について、図３〜５を参照して説明する。図３は、管理端末装置４０から管理サーバ３０にアクセスして確認できる監視情報一覧画面Ｗ１を示す図である。図３に示す監視情報一覧画面Ｗ１は、管理サーバ３０に接続される各自動分析装置を状態毎に表示し、各自動分析装置の監視情報の最終更新日時を確認することができる。また、各行に対応した自動分析装置の詳細情報を表示する詳細表示ボタン群ＢＧ１を有し、確認する自動分析装置に対応した行の詳細表示ボタン、たとえば、自動分析装置Ａ１００−００１であれば、詳細表示ボタンＢ１を押下することで、自動分析装置Ａ１００−００１に関する監視情報の確認を行なうことができる。なお、装置の接続状態を示す状態欄は、「Ｃｏｎｎｅｃｔｅｄ」、「Ｔｉｍｅ−ｏｕｔ」、「Ｄｉｓｃｏｎｎｅｃｔｅｄ」で表示され、「Ｃｏｎｎｅｃｔｅｄ」は、現在管理サーバ３０と監視端末装置１０が接続状態であることを示し、「Ｔｉｍｅ−ｏｕｔ」は、管理サーバ３０が監視端末装置１０から自動分析装置２０に関する監視情報を受信できていない状態を示し、「Ｄｉｓｃｏｎｎｅｃｔｅｄ」は、管理サーバ３０が、監視端末装置１０から自動分析装置２０が正常に終了した旨の情報を受けていることを示している。また、作業を終了する場合は、キャンセルボタンＣＢを押下する。
【００２７】
図４は、図３に示す詳細ボタンＢ１を押下した場合に表示される詳細情報画面Ｗ２を示す図である。図４に示す詳細情報画面Ｗ２は、自動分析装置Ａ１００−００１の詳細情報を示し、接続状態と最終更新日時とを表示するとともに、監視種別および監視情報毎に最終更新日時が表示される。また、監視情報に対応した情報を表示する情報表示ボタン群ＢＧ２を有し、確認する監視情報に対応した行の情報表示ボタン、たとえば、恒温槽温度情報であれば、情報表示ボタンＢ２を押下することで、恒温槽温度に関する監視情報の確認を行なうことができる。また、作業を終了する場合は、キャンセルボタンＣＢを押下する。詳細情報画面Ｗ２を確認することによって、各自動分析装置の各測定機構に関する監視情報を確認することができるため、一層詳細な管理を行なうことが可能となる。
【００２８】
また、図５は、図４に示す情報表示ボタンＢ２を押下した場合に表示される情報表示の一例を示す図である。図５は、恒温槽温度に関する監視情報を示すグラフであり、現在時刻以前の２４時間中に受信した恒温槽の温度に関する状態情報Ｄ１を表示している。グラフ中、黒丸で表示されたプロットは、監視端末装置１０と管理サーバ３０との間が通信可能な状態において受信された状態情報Ｄ１を示し、白丸で表示されたプロットは、監視端末装置１０と管理サーバ３０との間が通信不可能であって、図２に示すフローチャートのステップＳ１１４における蓄積情報として受信した状態情報Ｄ１であることを示している。上述したプロットをもとに、監視端末装置１０と管理サーバ３０との間の通信が途絶えていた通信障害時間Ｔｄを、グラフ中網掛けで表示する。また、通信障害時間Ｔｄの網掛けと比して濃い網掛けで表示した時間は、管理サーバ３０が、監視端末装置１０から自動分析装置２０が正常に終了したことを示す監視情報を受信し、再度自動分析装置２０が立ち上がった時間までを示す装置停止時間Ｔｏを示している。監視端末装置１０と管理サーバ３０との間の通信時間以外を網掛けで表示することによって、目視でも容易に自動分析装置２０の状態を把握することが可能となる。
【００２９】
ここで、監視端末装置１０が、本発明の実施の形態にかかる監視情報処理の変形例について、図６を参照して説明する。図６は、本発明の実施の形態にかかる監視情報処理の変形例を示すフローチャートである。まず、図２に示すフローチャートと同様に、図１に示す送信制御部１６は、送受信部１４に自動分析装置２０からの監視情報の受信を確認させ、監視情報を受信している場合、管理サーバ３０に送信すべき監視情報か否かを判断する（ステップＳ２０２）。送信制御部１６は、送受信部１４が自動分析装置２０から監視情報を受信していない、または管理サーバ３０に送信する必要のない監視情報である旨の情報を受けると（ステップＳ２０２：Ｎｏ）、ステップＳ２０４に移行し、前回管理サーバ３０に監視情報を送信した送信日時から所定時間経過したか否かを判断する。送信制御部１６は、ステップＳ２０４において前回の送信日時から所定時間経過していると判断した場合（ステップＳ２０４：Ｙｅｓ）、前回自動分析装置２０から死活監視情報Ｄ２を取得した取得日時から所定時間経過したか否かを、記憶部１５を参照して判断し、所定時間経過していると判断した場合（ステップＳ２０６：Ｙｅｓ）、自動分析装置２０から死活監視情報Ｄ２を取得する（ステップＳ２０８）。送信制御部１６は、自動分析装置２０から死活監視情報Ｄ２を取得後、ステップＳ２０２に移行する。なお、前回管理サーバ３０に監視情報を送信してから所定時間経過していない場合（ステップＳ２０４：Ｎｏ）または前回の死活監視情報取得日時から所定時間経過していない場合（ステップＳ２０６：Ｎｏ）、送信制御部１６は、ステップＳ２０２に移行する。
【００３０】
送信制御部１６は、ステップＳ２０２において、自動分析装置２０から監視情報を受信し、管理サーバ３０に送信すべき監視情報であると判断すると（ステップＳ２０２：Ｙｅｓ）、前回管理サーバ３０への情報送信時に応答信号を受信したか否かを判断する（ステップＳ２１０）。送信制御部１６は、記憶部１５を参照し、前回の管理サーバ３０への送信時に応答信号を受信したと判断した場合（ステップＳ２１０：Ｙｅｓ）、管理サーバ３０に監視情報を送信する（ステップＳ２１２）。管理サーバ３０に監視情報を送信後、送信制御部１６は、送受信部１４に管理サーバ３０から応答信号を受信したか否かを確認するよう指示する（ステップＳ２１６）。送信制御部１６は、送受信部１４から応答信号を受信した旨の情報を受けると（ステップＳ２１６：Ｙｅｓ）、記憶部１５に送信した監視情報に送信日時を付加して記憶するよう指示する（ステップＳ２１８）。送信日時の記憶処理終了後、管理サーバ３０への監視情報の送信間隔を所定間隔に設定する（ステップＳ２２０）。なお、送信間隔は、６０分、３０分等、任意に設定可能である。その後、送信制御部１６は、送受信部１４から新たな状態情報Ｄ１を受信した旨の情報を受けると（ステップＳ２２６：Ｙｅｓ）、ステップＳ２０２に移行し、新たな状態情報Ｄ１がない場合（ステップＳ２２６：Ｎｏ）、作業を終了する。
【００３１】
なお、ステップＳ２１６において、管理サーバ３０から応答信号を受信しなかった場合（ステップＳ２１６：Ｎｏ）、送信制御部１６は、ステップＳ２２２に移行して送信した監視情報を記憶部１５に記憶させ、管理サーバ３０への送信間隔を短縮設定する（ステップＳ２２４）。ここで、管理サーバ３０への送信間隔は、たとえば、所定間隔として６０分に設定されている場合、３０分に設定してもよく、管理サーバ３０から応答信号を受信しない間、１０分単位で段階的な短縮設定を行ってもよい。短縮設定された管理サーバ３０への送信間隔は、ステップＳ２１６において監視端末装置１０が管理サーバ３０から応答信号を受信し（ステップＳ２１６：Ｙｅｓ）、ステップＳ２２０に移行した場合に、所定間隔に再設定される。また、ステップＳ２１０において、前回管理サーバ３０への情報送信時に応答信号を受信していない場合（ステップＳ２１０：Ｎｏ）、送信制御部１６は、ステップＳ２１４に移行して今回受信した監視情報とともに、前回以前に記憶部１５に記憶された蓄積情報を管理サーバ３０に送信する。ここで、ステップＳ２１４における情報の送信は、今回受信した監視情報のみ送信し、ステップＳ２１６の応答信号受信後に、蓄積されている監視情報を送信してもよい。また、ステップＳ２２２における監視情報の記憶処理は、ステップＳ２１４を経由している場合、記憶処理が未処理の監視情報のみを記憶するようにしてもよく、記憶済監視情報の記憶処理情報を更新してもよい。
【００３２】
上述した処理を繰り返すことで、監視端末装置１０と管理サーバ３０との間が通信不可能となった場合において、管理サーバ３０に監視情報を送信する送信間隔を短縮することによって、通信の復旧に対して早急な対応が可能となり、監視情報を一層早く管理サーバ３０に送信することができる。また、監視端末装置１０と管理サーバ３０との間の通信が復旧した場合、所定の送信間隔に再設定するため、管理サーバ３０にかかる負担を抑制することもできる。
【００３３】
上述した実施の形態にかかる管理システムによって、監視端末装置が、自動分析装置から受信した監視情報に対して管理サーバに送信すべき監視情報のみを管理サーバに送信しつつ、所定時間自動分析装置から状態情報の受信がない場合に、監視端末装置が自動分析装置の死活監視情報を取得して管理サーバに送信するため、管理サーバにかかる負荷を軽減するとともに、自動分析装置の状態を把握することが可能となる。
【００３４】
また、上述した実施の形態に限らず、ここでは記載していないさまざまな実施の形態等を含みうるものであり、特許請求の範囲により特定される技術的思想を逸脱しない範囲内において種々の設計変更等を施すことが可能である。
【図面の簡単な説明】
【００３５】
【図１】本発明の実施の形態にかかる自動分析装置の管理システムの構成を示す模式図である。
【図２】本発明の実施の形態にかかる監視情報処理を示すフローチャートである。
【図３】管理端末装置から管理サーバにアクセスして確認できる監視情報一覧画面を示す図である。
【図４】図３に示す詳細ボタンを押下した場合に表示される詳細情報画面を示す図である。
【図５】図４に示す情報表示ボタンを押下した場合に表示される情報表示の一例を示す図である。
【図６】本発明の実施の形態にかかる監視情報処理の変形例を示すフローチャートである。
【符号の説明】
【００３６】
１  管理システム
１０  監視端末装置
１１，３１，４１  制御部
１２，３２，４２  入力部
１３，３３，４３  出力部
１４，３４，４４  送受信部
１５，３５，４５  記憶部
１６  送信制御部
２０  自動分析装置
３０  管理サーバ
４０  管理端末装置
Ｄ１  状態情報
Ｄ２  死活監視情報
Ｎ  ネットワーク
【図１】
2010190689.tif 000003
【図２】
2010190689.tif 000004
【図３】
2010190689.tif 000005
【図４】
2010190689.tif 000006
【図５】
2010190689.tif 000007
【図６】
2010190689.tif 000008